(57)【要約】本技術は、隔壁内に配置されるように構成されたポートリングを有する移送ポートの一部分に関する。ポートリングは、第１の側と第２の側とを有し、かつ第１の側から第２の側に延びるポート開口を画定する。ポートドアは、第２の側に枢動可能に連結され、およびポート開口を選択的かつ密閉可能に閉塞するように構成される。ポートリングは、ガスケット材料を受け入れるように構成されるポート開口と同軸の密閉面をポートリングの第１の側に画定する。ポートリングは、密閉面と同軸の環状面の一部分と、第１の側と環状面との間に延びる内側円筒面とを有するインターフェースインサート受部を画定する。ポートリングは、インターフェースインサートに解放可能に締結するように構成される締結構造を画定するように構成される。
2018518351.tif 000002
【特許請求の範囲】
【請求項１】
隔壁内に配置されるように構成されたポートリングであって、第１の側と第２の側とを有し、かつ
前記第１の側から前記第２の側に延びるポート開口と、
ガスケット材料を受け入れるように構成された密閉面であって、前記ポートリングの前記第１の側にあり、かつ前記ポート開口と同軸である密閉面と、
インターフェースインサート受部であって、
前記密閉面と同軸の環状面の少なくとも一部分と、
前記ポートリングの前記第１の側と前記環状面との間に延びる内側円筒面と
を有するインターフェースインサート受部と
を画定し、前記インターフェースインサート受部に対してインターフェースインサートを解放可能に締結するように構成される締結構造を少なくとも部分的に画定するように構成されるポートリングと、
前記ポートリングの前記第２の側に枢動可能に結合され、および前記ポート開口を選択的かつ密閉可能に閉塞するように構成されたポートドアと
を備える、移送ポートの一部分。
【請求項２】
前記密閉面が前記ポート開口に隣接している、請求項１または３〜８のいずれか一項に記載の移送ポートの一部分。
【請求項３】
前記ポートリングが差込みコネクタを画定せず、および前記インターフェースインサート受部が、差込みコネクタを画定するインターフェースインサートを受け入れるように構成される、請求項１もしくは２または４〜８のいずれか一項に記載の移送ポートの一部分。
【請求項４】
前記ポートリングが、前記ポートリングの前記第２の側から前記インターフェースインサート受部の前記環状面を貫通して延びるインターロック組立体を更に備え、前記インターロック組立体が前記インターフェースインサート受部の前記環状面の不連続部を画定する、請求項１〜３または５〜８のいずれか一項に記載の移送ポートの一部分。
【請求項５】
前記インターロック組立体が前記インターフェースインサート受部の前記環状面から突出する、請求項１〜４または６〜８のいずれか一項に記載の移送ポートの一部分。
【請求項６】
前記環状面が前記密閉面から径方向外方に延び、かつ外周縁を画定する、請求項１〜５または７もしくは８のいずれか一項に記載の移送ポートの一部分。
【請求項７】
前記内側円筒面が前記環状面の前記外周縁から延び、かつ前記環状面に実質的に直交する、請求項１〜６または８のいずれか一項に記載の移送ポートの一部分。
【請求項８】
前記締結構造が、前記ポート開口に平行に延びる、前記環状面により画定された第１の複数の締結具開口と、前記内側円筒面を貫通して径方向に延びる、前記内側円筒面により画定された第２の複数の締結具開口とを備える、請求項１〜７のいずれか一項に記載の移送ポートの一部分。
【請求項９】
隔壁内に配置されるように構成されたポートリングであって、ポート開口と、インターフェースインサート受部であって、
前記ポート開口と同軸の環状面と、
前記環状面から延びる内側円筒面と
を有するインターフェースインサート受部とを画定するポートリングと、
インターフェースインサートであって、
外側円筒面と、リングを画定する第１の端面とを有する環状体であって、前記第１の端面が、前記インターフェースインサート受部の前記環状面に当接するように前記インターフェースインサート受部によって受け入れられるように構成される、環状体と、
複数の差込みコネクタを画定する取付インターフェースと
を備えるインターフェースインサートと
を備え、
前記インターフェースインサートが前記ポートリングに解放可能に締結するように構成され、前記インターフェースインサートおよび前記ポートリングが、前記インターフェースインサートが前記ポートリングに締結されるときに、前記ポート開口と同軸のシールを相互に画定するように構成される、移送ポート組立体。
【請求項１０】
前記シールが、インターフェースインサートと前記ポートリングとの間に配置されたガスケット材料を備え、前記ガスケット材料が前記ポート開口に隣接している、請求項９または１１〜１７のいずれか一項に記載の移送ポート組立体。
【請求項１１】
前記ポートリングが、前記ポートリングに取り付けられた取付組立体を有するように構成されず、および前記インターフェースインサートが、前記インターフェースインサートに取り付けられた取付組立体を有するように構成される、請求項９もしくは１０または１２〜１７のいずれか一項に記載の移送ポート組立体。
【請求項１２】
前記ポートリングが、前記インターフェースインサート受部の前記環状面を貫通して延びるインターロック組立体を更に備え、および前記インターフェースインサートの前記第１の端面が、前記インターロック組立体を収容するように構成された開口を画定する、請求項９〜１１または１３〜１７のいずれか一項に記載の移送ポート組立体。
【請求項１３】
前記インターロック組立体が前記インターフェースインサート受部の前記環状面から突出する、請求項９〜１２または１４〜１７のいずれか一項に記載の移送ポート組立体。
【請求項１４】
前記ポートリングに枢動可能に連結され、および前記ポート開口を選択的かつ密閉可能に閉塞するように構成されたポートドアを更に備える、請求項９〜１３または１５〜１７のいずれか一項に記載の移送ポート組立体。
【請求項１５】
前記環状面が前記ポート開口から径方向外方に延び、かつ外周縁を画定する、請求項９〜１４または１６もしくは１７のいずれか一項に記載の移送ポート組立体。
【請求項１６】
前記内側円筒面が前記環状面の前記外周縁から延び、かつ前記環状面に実質的に直交する、請求項９〜１５または１７のいずれか一項に記載の移送ポート組立体。
【請求項１７】
前記差込みコネクタが取付組立体の嵌合差込みコネクタを受け入れるように構成される、請求項９〜１６のいずれか一項に記載の移送ポート組立体。
【請求項１８】
隔壁内に配置されるように構成されたポートリングであって、ポート開口とインターフェースインサート受部とを画定するポートリングと、
前記インターフェースインサート受部によって受け入れられるように構成された第１のインターフェースインサートであって、第１の取付組立体の組とのシールを形成するように構成される第１の嵌合特徴部の組を画定する第１の取付インターフェースを有する第１のインターフェースインサートと、
前記インターフェースインサート受部によって受け入れられるように構成された第２のインターフェースインサートであって、第２の取付組立体構成とのシールを形成するように構成される第２の嵌合特徴部の組を画定する第２の取付インターフェースを有する第２のインターフェースインサートと
を備え、
前記第１の嵌合特徴部の組が、前記第２の嵌合特徴部の組の第２の幾何学的形状と異なる第１の幾何学的形状を有し、
前記インターフェースインサート受部が、前記第１のインターフェースインサートおよび前記第２のインターフェースインサートの各々を交換可能に受け入れ（１）、かつそれに解放可能に締結する（２）ように構成される、移送ポートシステム。
【請求項１９】
ガスケット材料を更に備え、前記ポートリングが前記ポート開口と同軸の密閉面を画定し、および前記ガスケット材料が前記密閉面に接触する、請求項１８または２０〜２５のいずれか一項に記載の移送ポートシステム。
【請求項２０】
前記インターフェースインサート受部が、前記ポート開口と同軸の環状面の少なくとも一部分と、前記環状面から延びる内側円筒面とを備える、請求項１８もしくは１９または２１〜２５のいずれか一項に記載の移送ポートシステム。
【請求項２１】
前記内側円筒面が前記環状面に実質的に直交する、請求項１８〜２０または２２〜２５のいずれか一項に記載の移送ポートシステム。
【請求項２２】
前記インターフェースインサート受部が前記ポート開口と同軸の密閉面を備え、前記密閉面が、前記第１のインターフェースインサート、前記第２のインターフェースインサートの各々とのシールを交換可能に形成するようにガスケット材料を受け入れるように構成される、請求項１８〜２１または２３〜２５のいずれか一項に記載の移送ポートシステム。
【請求項２３】
前記第１の嵌合特徴部の組および前記第２の嵌合特徴部の組の各々が差込みコネクタを備える、請求項１８〜２２または２４もしくは２５のいずれか一項に記載の移送ポートシステム。
【請求項２４】
前記ポートリングが締結具開口を画定し、および前記第１のインターフェースインサートおよび前記第２のインターフェースインサートが各々、前記ポートリングの前記締結具開口と整合するように構成される対応する締結具開口を画定する、請求項１８〜２３または２５のいずれか一項に記載の移送ポートシステム。
【請求項２５】
前記ポートリングに枢動可能に連結されたポートドアを更に備え、前記ポートドアが前記ポート開口を密閉可能に閉塞するように構成される、請求項１８〜２４のいずれか一項に記載の移送ポートシステム。
【請求項２６】
隔壁内に設置されたポートリングにより画定されたインターフェースインサート受部に第１のインターフェースインサートを挿入することと、
前記第１のインターフェースインサートを前記ポートリングに締結することと、
前記第１のインターフェースインサートにより画定された第１の取付インターフェースに第１の取付組立体を取り付けることと、
隔壁内に設置された前記ポートリングから前記第１のインターフェースインサートを外すことと、
前記ポートリングの前記インターフェースインサート受部内の前記第１のインターフェースインサートを、第２の取付インターフェースを画定する第２のインターフェースインサートに取り替えることであって、前記第２の取付インターフェースが前記第１の取付インターフェースと異なる幾何学的形状を有する、取り替えることと、
前記ポートリングに前記第２のインターフェースインサートを締結することと、
前記第２のインターフェースインサートの前記第２の取付インターフェースに第２の取付組立体を取り付けることと
を含む、移送ポートを構成する方法。
【請求項２７】
前記第１の取付インターフェースから前記第１の取付組立体を取り外すことを更に含む、請求項２６または２８〜３４のいずれか一項に記載の方法。
【請求項２８】
前記第２のインターフェースインサートを前記ポートリングに締結した後および前記第２の取付組立体を前記第２の取付インターフェースに取り付ける前に、前記移送ポートに対して漏れ試験を実施する、請求項２６もしくは２７または２９〜３４のいずれか一項に記載の方法。
【請求項２９】
前記漏れ試験が圧力減衰漏れ試験である、請求項２６〜２８または３０〜３４のいずれか一項に記載の方法。
【請求項３０】
前記ポートリングが前記隔壁の第１の側を前記隔壁の第２の側に対して隔離し、および前記第１のインターフェースインサートを前記第２のインターフェースインサートに取り替えることが、前記隔壁の前記第２の側からの前記隔壁の前記第１の側の隔離を維持する、請求項２６〜２９または３１〜３４のいずれか一項に記載の方法。
【請求項３１】
前記ポートリングに前記第１のインターフェースインサートを締結することが、前記第１のインターフェースインサートにより画定された第１のインターフェースインサート締結具開口を、前記ポートリングにより画定されたポートリング締結具開口と整合させることと、前記ポートリングと前記第１のインターフェースインサートとを相互に係合させるために、前記インサート締結具開口および前記ポートリング締結具開口を通して締結具を挿入することとを含む、請求項２６〜３０または３２〜３４のいずれか一項に記載の方法。
【請求項３２】
前記ポートリングに前記第２のインターフェースインサートを締結することが、前記第２のインターフェースインサートにより画定された第２のインターフェースインサート締結具開口を、前記ポートリングにより画定された前記ポートリング締結具開口と整合させることと、前記ポートリングと前記第２のインターフェースインサートとを相互に係合させるために、前記第２のインターフェースインサート締結具開口および前記ポートリング締結具開口を通して締結具を挿入することとを含む、請求項２６〜３１または３３もしくは３４のいずれか一項に記載の方法。
【請求項３３】
前記第１の取付組立体が、前記第２の取付組立体と異なるドッキング特徴部を有する、請求項２６〜３２または３４のいずれか一項に記載の方法。
【請求項３４】
前記ポートリングにより画定されたポート開口を密閉可能に閉塞するためにポートドアを閉鎖することを更に含む、請求項２６〜３３のいずれか一項に記載の方法。
【発明の詳細な説明】
【技術分野】
【０００１】
本出願は、全ての指定国に対する出願人である米国国内企業Ｄｅｌａｗａｒｅ  Ｃａｐｉｔａｌ  Ｆｏｒｍａｔｉｏｎ，Ｉｎｃ．ならびに全ての指定国に対する発明者である米国国民Ｓｔｅｖｅｎ  Ｂｒｕｃｅ  Ｗｉｌｌｉａｍｓ，ＩＩおよび米国国民Ｉｓａａｃ  Ｍ．Ｇｉｅｓｅｎの名義で２０１６年２月２９日にＰＣＴ国際特許出願として出願されており、２０１５年３月２日に出願された米国仮特許出願第６２／１２７，０７０号明細書および２０１５年８月２８日に出願された米国仮特許出願第６２／２１１，１７３号明細書に対する優先権を主張するものであり、これらの内容の全体が参照により本明細書に組み込まれる。
【０００２】
ここで開示する技術は、概して、密閉型移送ポートに関する。より詳細には、ここで開示する技術は、カスタマイズ可能な取付インターフェースを備えた密閉型ポートおよび方法に関する。
【背景技術】
【０００３】
移送ポートは、周囲環境から隔離環境に、これらの環境の一方または両方の汚染なしに材料を移送するために様々な産業で使用される。例えば、製薬産業では、移送ポートを使用して、周囲環境内にある非汚染生体物質を無菌室などの非汚染環境に移送することが一般的である。移送ポートの例は、アルファ組立体とベータ組立体とを有する。
【０００４】
移送ポートは、通常、隔離環境と関連付けられる。アルファ組立体は環境間の隔壁における開口に掛け渡され、およびアルファ組立体の一端部は周囲環境内に延びる。ベータ組立体は、通常、周囲環境と関連付けられ、かつ様々な方法で構成することができるが、概して、隔離環境に通じる壁における移送ポートにより画定された取付インターフェースに受け入れられるように構成される取付構造を画定する。例示的な一構成において、ベータ組立体は、移送すべき物質を収容する密閉容器である。別の例において、ベータ組立体は液体用導管である。
【０００５】
移送ポートのベータ組立体および取付インターフェースは、分離された環境の隔離を維持するためにシールを形成する。移送ポートにおける対応する差込み型取付面、容器、および容器カバーは、容器がポートに取り付けられたときに容器カバーがポートドアに取り付いて容器から容器カバーが外れるように相互作用する。ポートドアが開放されると容器も開放され、容器（または導管）の内容物を隔離環境に露出させる。
【０００６】
移送ポートは、概して、隔離壁内に設置された時点で半永久的に固定される。そのようなものとして、移送ポートに取り付けることができる特定のベータ組立体は、移送ポートの取付インターフェースとのシールを形成するそれらのベータ組立体に限定されるものではない。
【発明の概要】
【課題を解決するための手段】
【０００７】
ここで説明する技術は、添付図面との関連で種々の実施形態の以下の詳細な説明を考慮してより詳細に理解および認識され得る。
【０００８】
図１は、移送ポートに取り付けられたベータ組立体を有する例示的な移送ポートの断面図を図示する。移送ポート１００は、隔壁１０の第１の側２０から隔壁１０の第２の側３０に延び、第１の側２０は、本明細書で説明する技術の少なくとも一実装形態における周囲状態と一致することができ、かつ隔壁１０の第２の側３０は、周囲状態よりも比較的清浄なまたは汚れた状態と一致することができる。隔壁１０および移送ポート１００は、概して、第１の側２０と第２の側３０との間の汚染を防止する。
【図面の簡単な説明】
【０００９】
【図１】例示的な移送ポートに取り付けられた例示的なベータ組立体の簡略断面図を図示する。
【図２】本明細書に開示する技術と一致する例示的な移送ポートの一方側の斜視図を図示する。
【図３】図２に図示する移送ポートの他方の反対側の斜視図を図示する。
【図４】図３に図示した実施形態と一致する移送ポートの分解図を図示する。
【図５】本技術の少なくとも１つの実装形態と一致する例示的なセルフランジの斜視図を図示する。
【図６Ａ】本技術の少なくとも１つの実装形態と一致する例示的なインターフェースインサートの斜視図を図示する。
【図６Ｂ】図６Ａの例示的なインターフェースインサートの断面図を図示する。
【図６Ｃ】図６Ｂの詳細図を図示する。
【図７Ａ】本技術の少なくとも１つの実装形態と一致する別の例示的なインターフェースインサートの斜視図を図示する。
【図７Ｂ】図７Ａの例示的なインターフェースインサートの断面図を図示する。
【図７Ｃ】図７Ｂの詳細図を図示する。
【図８】図３〜図４の実施形態と一致する移送ポートの断面図を図示する。
【図９】図１に図示したものと一致する例示的な取付組立体の斜視図を図示する。
【図１０】本明細書で開示する技術の実施形態と一致する方法を図示する。
【図１１Ａ】本技術の実装形態と一致する別の例示的なインターフェースインサートの斜視図を図示する。
【図１１Ｂ】図１１Ａの例示的なインターフェースインサートの正面図を図示する。
【発明を実施するための形態】
【００１０】
「第１の側」２０および「第２の側」３０という語句は、本明細書では、隔壁１０の２つの異なる側を指すものとして使用され、第２の側３０は、比較的清浄なまたは汚れた側とすることができる様々な実施形態における壁の隔離側とすることができ、かつ第１の側２０は、いくつかの実施形態では周囲状態と関連付けられる壁の反対側である。壁の第２の側３０は、概して、１つまたは複数の隔壁により全ての面から封じ込められる。「汚れた」または「清浄な」などの形容詞が本明細書に記載の技術を限定するものではないことは、当業者であれば認識するであろう。実際に、隔離環境は、様々な場合において、汚染環境または汚れた環境とすることができ、かつ非隔離環境は比較的清浄な環境とすることができる。
【００１１】
図１に関して、移送ポート１００は、セルフランジ１１０とポートドア１４０とを有する。セルフランジ１１０は、第１の側１１４と第２の側１１６とを有する。セルフランジ１１０は、隔壁１０内に配置されるように構成され、かつ第１の側１１４および第２の側１１６は、それぞれ、隔壁１０の第１の側２０および第２の側３０（図１参照）に対応することができる。セルフランジ１１０は、ポート開口の周縁に対して固定された漏れ止め密閉係合状態で隔壁１０に画定されたポート開口を貫通して延びるように構成される延在部分１１２を画定する。そのようなものとして、セルフランジ１１０は、セルフランジ１１０の第１の側１１４から隔壁１０を貫通してセルフランジ１１０の第２の側１１６に延びるポート開口を相互に画定する。ポートドア１４０は、隔壁１０の第２の側３０であるセルフランジ１１０の第２の側１１６に、ドアヒンジ１４２により枢動可能に連結される。ポートドア１４０は、概して、ポート開口を選択的かつ密閉可能に閉塞するように構成される。図１において、ポートドア１４０は、セルフランジ１１０の内側周縁に対して漏れ止め密閉係合状態で閉鎖位置に示されており、かつドアヒンジ１４２を中心に開放位置まで枢動可能である。ドアシール１４８は、ポートドア１４０とポートリング１６０との間に配置される。
【００１２】
概要として、移送物品を隔壁１０の第１の側２０の状態に露出させずに、隔壁１０の第２の側３０と隔壁１０の第１の側２０との間で物品を移送するには、取付組立体２００が開放されたときに移送ポート１００を通して隔壁１０の第２の側３０にのみ内容物を露出させるように、移送物品を収容する容器または他の種類の密閉された取付組立体２００を移送ポート１００に密閉可能に取り付けることが必要となる。この取り付けは、取付組立体２００の容器２１０を移送ポート１００の周りに（セルフランジ１１０などに）密閉可能に取り付け、同時に、容器カバー２３０（図９でも視認できる）をポートドア１４０に密閉可能に取り付けることにより達成することができる。そのようなものとして、第１の側２０の状態に既に接触していた容器カバー２３０の外面は、汚染を引き起こす可能性がある隔壁１０の第２の側３０に露出されない。容器カバー２３０がポートドア１４０に取り付けられると、容器カバー２３０が容器部分２１０から解放される。次いで、ポートドア１４０が開放されたときに、第２の側３０で容器部分２１０の内容物を除去できるように容器部分２１０の内側がポート開口と連通する。
【００１３】
容器部分２１０および容器カバー２３０は、全体として、取付組立体２００と呼ぶことができる。図９は、図１に図示したものと同様の例示的な取付組立体２００を図示し、この解説のために移送ポートから分離された状態で示されている。取付組立体２００は、容器部分２１０と、移送ポート１００の取付インターフェースに取り付くように構成されたフランジ付きリング２２０と、取り外し可能な容器カバー２３０と、使用者が取付組立体２００を移送ポート１００に手動で取り付ける容器ハンドル２４０とを有する（図１参照）。
【００１４】
フランジ付きリング２２０は、セルフランジ１１０の取付インターフェース１２０に沿って部分的に画定された差込み受部１３０と嵌合するように構成される差込みコネクタ２２４によってセルフランジ１１０に取り付け可能である。取付インターフェース１２０は、概して、構造体であって、取付組立体２００を取り付けるときにフランジ付きリング２２０をそれに対して回転させる構造体であり、かつ差込み受部１３０は、概して、取付組立体２００が取付位置にあるときに対応する差込み部を受け入れる、取付インターフェース１２０に沿った位置である。フランジ付きリング２２０は、概して、セルフランジ１１０の取付インターフェース１２０に取り付けられたときに漏れ止めシールを形成するように構成される。いくつかの実施形態において、フランジ付きリング２２０および容器部分２１０は、本実施形態では別個の構成部品として図示されているが、結合ユニットとすることができる。
【００１５】
フランジ付きリング２２０により画定された通路を通して、容器部分２１０の内部容積に通じる開口は、容器カバー２３０である取付可能な第２の構成部品により密閉可能に覆われる。容器カバー２３０は、カバー差込みコネクタ２３２を介してフランジ付きリング２２０のカバー取付面２２２に対して漏れ止め密閉係合状態で取り付けられ、フランジ付きリング２２０のカバー取付面２２２は、少なくともフランジ付きリング２２０の内周縁により画定される。容器カバー２３０はまた、ポートドア１４０の第１の側２０の表面上に画定された対応するドア差込み受部１４６に取り付くように構成される容器カバー２３０の外側にドア差込みコネクタ２３４の組を有する。そのようなものとして、漏れ止め密閉係合状態で取付組立体２００をセルフランジ１１０上の取付インターフェース１２０に取り付けるために取付組立体２００のフランジ付きリング２２０を使用者が手動で回転させたときに、容器カバー２３０もポートドア１４０の第１の側２０に対して漏れ止め密閉係合状態となるように取り付けられ、かつ同時に容器カバー２３０がフランジ付きリング２２０から解放される。
【００１６】
取付組立体２００は、図１および図９に容器部分２１０として示されているが、特定の移送要求に応じて様々な形態をとることができる。例えば、注射可能な薬剤を収容するバイアル用のゴム製セプタムは、通例では、ＤｕＰｏｎｔ（Ｗｉｌｍｉｎｇｔｏｎ，Ｄｅｌａｗａｒｅ，ＵＳＡに拠点を置く）製のＴｙｖｅｋ（登録商標）材料などの材料で作られた可撓性多孔質袋内でまとめて滅菌される。そのシステムは、同じ内部環境を有する２つの同様の隔離室を周囲の汚れた環境から保護しつつ、これらの隔離室を密閉可能に相互接続するために使用されてもよい。同じように、隔離室の環境の完全性を維持しつつ手作業を行うことを可能にするために、ゴム手袋が隔離室内に差し込まれてもよい。
【００１７】
再び図１を参照すると、取付組立体２００は、セルフランジ１１０の第１の側２０の１つまたは複数の表面により画定された取付インターフェース１２０に受け入れられるように構成される嵌合構造２２４を画定する。様々な実施形態において、システム使用者は、取付組立体２００を取付インターフェース１２０に接触させるために容器ハンドル２４０を使用することができる。いくつかの実施形態において、嵌合構造２２４は、取付組立体２００のフランジ付きリング２２０上に画定された１つまたは複数の一連の差込みコネクタ２２４である。１つまたは複数の差込みコネクタ２２４は、取付組立体２００をセルフランジ１１０に対して回転させたときに、少なくともセルフランジ１１０の取付インターフェース１２０により画定された１つまたは複数の対応する差込み受部１３０に受け入れられる。これに対応して、容器カバー２３０は、ポートドア１４０により画定された対応するドア差込み受部１４６に受け入れられるように構成される１つまたは複数の差込みコネクタ２３４を画定する。取付組立体２００が取り付けられると、容器カバー２３０は、取付組立体２００のフランジ付きリング２２０から取り外されて、ポートドア１４０に取り付けられる。
【００１８】
フランジ付きリング２２０をセルフランジ１１０および容器カバー２３０をポートドア１４０に取り付けた後（この取り付けにより、容器カバー２３０が取付組立体２００から解放される）、ポートドア１４０を開放して、セルフランジ１１０を貫通するポート開口の邪魔にならないようにポートドア１４０を揺動させることができ、取り付けられた容器カバー２３０がポートドア１４０により支持される。セルフランジ１１０とフランジ付きリング２２０とにより画定されたポート開口は、容器部分２１０内の環境がアクセス可能であり、かつ隔壁１０の第２の側３０の環境に露出されるように開放している。従って、容器部分２１０を空にするかまたは容器部分２１０に充填することができる。
【００１９】
移送が完了したときに、ポートドア１４０が閉鎖される。ポートドア１４０の閉鎖時におよびセルフランジ１１０から容器部分２１０を手動で係合解除する過程で、容器カバー２３０がポートドア１４０との係合を解除して、フランジ付きリング２２０に再係合し、その結果、容器カバー２３０が容器部分２１０を再び密閉する。隔離環境３０内で実施される作業が完了するまで移送すべき材料を収容する一連の取付可能な組立体を単にドッキングするのみで更なる連続移送を行ってもよい。このシステムは隔離環境への材料の移送に関連して説明されているが、隔離環境内から周囲環境に材料を移送する際に同じ一連のステップが実行される。
【００２０】
図２は、図１の移送ポート１００の第２の側面斜視図を図示する。この図において、移送ポート１００は、ポート開口を密閉可能に閉塞し、かつセルフランジ１１０に対して密閉可能に閉鎖されるポートドア１４０を有する。セルフランジ１１０は、設置時に隔壁１０（図１）を貫通して延びるように構成される延在部分１１２を有する。固定ハンドル１４４は、システム使用者がポートドア１４０を手動で開閉するために使用することができる。いくつかの実施形態において、ハンドルは固定されておらず、ポートドアをセルフランジ１１０に係合させ、および／またはセルフランジ１１０から係合解除するために手動でまたは他に作動させる。
【００２１】
図３は、図１が移送ポートの簡略図であることを理解して、図１および図２に図示した実施形態と略一致する移送ポート１００の第１の側面斜視図を図示する。図２と同様に、ポートドア１４０は、セルフランジ１１０に対してポート開口を密閉可能に閉塞する。セルフランジ１１０の取付インターフェース１２０は、図１で説明するように、取付組立体２００の差込み部を受け入れるように構成される差込み受部１３０を部分的に画定する。ポートドア１４０は、ベータ組立体のカバーなどの取付組立体により画定された差込み部を受け入れるようにも構成されるドア差込み受部１４６を画定する。
【００２２】
また、例えば、国際公開第２０１４／１７２６６５号パンフレットで説明されているインターロック装置と一致し得る第１のインターロック装置１６６および第２のインターロック装置１６７を図３で視認できる。１つのインターロック組立体１６７は、ポートドア１４０により画定されたラッチ受部に係合してセルフランジ１１０の第１の側で取付組立体を受けるように構成されるドアインターロックとすることができる。このようなインターロック組立体は、取付組立体を受けた時点でポートドア１４０を完全に解放することができる。別のインターロック組立体１６６は、ポートドア１４０が開放しているときにセルフランジ１１０に対する取付組立体（容器など）の平行移動を妨げるように構成される容器インターロック組立体とすることができる。
【００２３】
図３に図示する実施形態を含む、本技術と一致する移送ポートは、様々な異なる構成の取付インターフェースを画定するようにカスタマイズ可能であり、その結果、特定のドッキング特徴部を有する取付組立体を密閉可能に受け入れるように各取付インターフェースを構成することができる。このカスタマイズは、特定の幾何学的形状の第１の嵌合構造を画定するインターフェースインサートを取り外して取り替えることができるために有効である。必要に応じて、第１の嵌合構造と異なる幾何学的形状を備えた嵌合構造を有する異なる第２のインターフェースインサートを使用することができ、この嵌合構造は、異なるドッキング特徴部を有する、異なるキャニスタ、袋または他の構造などの異なる種類の取付組立体に密着するように構成される。「異なるドッキング特徴部」という語句は、取付インターフェースと嵌合するように構成される特徴部が異なる幾何学的形状および／または寸法を有することを意味することが意図される。インターフェースインサートを変更できるため、移送ポートの所有者は、基礎となる移送ポートを変更または取り替える必要なしに、複数の種類のキャニスタ、袋または他の取付組立体を使用する融通性を得る。
【００２４】
例えば、図４は、図３に図示したセルフランジ１１０の斜視分解図を図示する。２つの構成部品、すなわち、ポートリング１６０およびインターフェースインサート１７０は、セルフランジ１１０を相互に画定する。図５は、ポートリング１６０のみの第１の側面斜視図を図示する。図６Ａはインターフェースインサート１７０のみの第１の側面斜視図を図示し、図６Ｂはインターフェースインサート１７０の断面図を図示し、かつ図６Ｃはインターフェースインサート１７０の詳細図を図示する。図８は、インターフェースインサート１７０がポートリング１６０に連結された移送ポート組立体３００の断面図を図示する。
【００２５】
図４および図５を参照すると、セルフランジ１１０のポートリング１６０は、概して、開口を画定する隔壁内に密閉可能に配置されるように構成される。ポートリング１６０は、ポート開口１２と、ポート開口１２から径方向外方に延びる外側フランジ１６１と、延在部１６３とを画定する。外側フランジ１６１は、セルフランジ１１０の第２の側に画定され、かつ隔壁の第２の側で隔壁に当接するように構成される（図１参照）。延在部１６３は、隔壁を貫通して延びるように構成される。ポートリング１６０は、ポートドアに連結するように構成される、ヒンジなどのドア連結用締結機構１６９を介してポートドアに連結されるように構成される（図１参照）。１つまたは複数のインターロック装置１６６、１６７は、ポートリング１６０の第２の側１１６（および従ってセルフランジ１１０の第２の側１１６）からセルフランジ１１０の第１の側１１４に向かって延びる。
【００２６】
ポートリング１６０は、概して、例示的な第１のインターフェースインサート１７０などの複数のインターフェースインサートを密閉可能かつ可逆的に受け入れるように構成される。より具体的には、ポートリング１６０は、セルフランジ１１０の第１の側１１４に密閉面１６８およびインターフェースインサート受部１６２を画定する。密閉面１６８は、概して、インターフェースインサート１７０とのシールを形成するように構成されるガスケット材料を受け入れるように構成され、「ガスケット材料」という用語は、Ｏリング、平形ガスケット、シリコーン注封化合物など、剛性構成部品間にシールを形成するために使用できる任意の材料を意味するものと定義される。密閉面１６８は、ポート開口１２と略同軸である。様々な実施形態では、密閉面１６８がポート開口１２に隣接しており、いくつかの実施形態では、密閉面１６８がポート開口１２に当接している。密閉面１６８は、ガスケット材料に接触するように構成されるリッジ、窪み、または平坦面とすることができる。いくつかの実装形態では、密閉面１６８とポート開口１２との間の距離を最小限に抑えることが望ましい可能性がある。
【００２７】
インターフェースインサート受部１６２は、インターフェースインサート１７０を受け入れるように構成され、かつ概して、環状面１６２ａの少なくとも一部分と、セルフランジ１１０の第１の側１１４と環状面１６２ａとの間に延びる内側円筒面１６２ｂとを有する。環状面１６２ａは、ポート開口１２と略同軸でありかつ／または密閉面１６８と略同軸であり、「環状面の少なくとも一部分」は、環状面１６２ａに１つまたは複数の不連続部が存在することを意味することが意図される。例えば、本実施形態において、締結具開口１６５はまた、インターフェースインサート受部１６２の環状面１６２ａに不連続部を画定することができる。別の例として、第１のインターロック装置１６６および第２のインターロック装置１６７は、セルフランジ１１０の第２の側１１６からインターフェースインサート受部１６２の環状面１６２ａを貫通して延び、その結果、インターロック組立体１６６、１６７は、インターフェースインサート受部１６２の環状面１６２ａの不連続部を画定する。様々な実施形態において、１つまたは複数のインターロック組立体１６６、１６７は、インターフェースインサート受部１６２の環状面１６２ａから突出する。
【００２８】
環状面１６２ａは、様々な形状を有することができる。例えば、いくつかの実施形態において、環状面は円錐形とすることができる。概して、環状面１６２ａは、密閉面１６８から径方向外方に延び、かつ外周縁１６２ｃを画定する。環状面１６２ａは、概して、以下により詳細に説明するインターフェースインサート１７０の表面に当接するように構成することができる。
【００２９】
インターフェースインサート受部１６２の内側円筒面１６２ｂは、概して、インターフェースインサート受部１６２の環状面１６２ａから延びる。いくつかの実施形態において、内側円筒面１６２ｂは、環状面１６２ａの外周縁１６２ｃからセルフランジ１１０の第１の側１１４に向かって延びる。いくつかの実施形態において、内側円筒面１６２ｂは、環状面１６２ａに実質的に直交する。内側円筒面１６２ｂは様々な形状を有することができ、少なくともいくつかの実施形態において、内側円筒面１６２ｂは円錐形である。そのような実施形態において、内側円筒面１６２ｂは、インターフェースインサート受部１６２の環状面１６２ａから直交以外の角度で延びることができる。
【００３０】
ポートリング１６０のインターフェースインサート受部１６２は、インターフェースインサート１７０に密閉可能に締結するように構成される。様々な実施形態において、ポートリング１６０自体は、取付組立体を受け入れるように構成されていない。例えば、ポートリング１６０は、取付組立体を受け入れるように構成される差込みコネクタを画定するのではなく、ポートリング１６０は、むしろ、取付組立体を受け入れるように構成される差込みコネクタ１７５（例えば、図６Ａ参照）を画定するインターフェースインサート１７０を受け入れるように構成される。特に図４、図６Ａおよび図６Ｂを参照すると、インターフェースインサート１７０は、概して、外側円筒面１７１を有する環状体である。インターフェースインサート１７０の第２の側１１６は、リングを画定する端面１７８を有する。端面１７８は、概して、インターフェースインサート受部１６２の環状面１６２ａに当接するようにインターフェースインサート受部１６２に受け入れられるように構成される。様々な実施形態において、インターフェースインサート１７０の端面１７８は、インターフェースインサート受部１６２の環状面１６２ａを貫通して延びるインターロック組立体１６６、１６７を収容するように構成される少なくとも１つのインターロック開口１７６を画定する。
【００３１】
上で述べたように、インターフェースインサート１７０は、１つまたは複数の取付組立体の密閉可能な取り付けを可能にするように構成される。具体的には、インターフェースインサート１７０の第１の側１１４は、特定の取付組立体構成を受け入れて取付組立体構成とのシールを形成するように構成される嵌合特徴部の組を画定する取付インターフェース１２０を有する。本明細書では、「嵌合特徴部」という用語は、それらの物理的特徴部の特定の幾何学的形状を含む、特定の取付組立体とのシールを収容および／または形成するように構成される取付インターフェース１２０の物理的特徴部を意味するものとして使用され、「幾何学的形状」という用語は、嵌合特徴部のサイズおよび形状を指す。例えば、図６Ｂおよび図６Ｃを参照すると、インターフェースインサート１７０の取付インターフェース１２０は、特定の取付組立体構成の嵌合差込みコネクタを受け入れるように構成される差込みコネクタ１７５などの嵌合特徴部、所定数の（差込み部または差込み受部などの）差込みコネクタ１７５、差込み受部の深さなどの差込みコネクタ１７５の寸法、特定の取付組立体構成の形状を収容するように構成することができる逃がし溝１７３の存在および寸法、ならびに特定の取付組立体構成とのシールを形成するように構成することができる密閉用リッジ１７２の存在および寸法を有する。
【００３２】
次に図４、図５および図６Ａを参照すると、ポートリング１６０およびインターフェースインサート１７０の各々は、インターフェースインサート１７０をインターフェースインサート受部１６２に対して解放可能に締結するように構成される締結構造を相互に画定する。様々な実施形態において、ポートリング１６０は、インターフェースインサート受部１６２の環状面１６２ａにより画定された第１の複数の締結具開口１６５およびインターフェースインサート受部１６２の内側円筒面１６２ｂにより画定された第２の複数の締結具開口１６４である締結構造を少なくとも部分的に画定する。第１の複数の締結具開口１６５は、ポート開口１２の長さに実質的に平行に延び、かつ第２の複数の締結具開口１６４は、内側円筒面１６２ｂを実質的に径方向に貫通して延びる。いくつかの実施形態において、第１の複数の締結具開口１６５は、挿入ねじ開口であり、かつ第２の複数の締結具開口１６４は、ねじまたは他の締結機構を受け入れるように各々構成される止めねじ開口である。インターフェースインサート１７０は、ポートリング１６０の第１の複数の締結具開口１６５と実質的に整合するように構成される第１の対応する締結具開口１７４を画定する。インターフェースインサート１７０はまた、ポートリング１６０の第２の複数の締結具開口１６４と実質的に整合するように構成される第２の対応する締結具開口１７７を画定する。
【００３３】
当然のことながら、様々な種類の締結構造が本図面に図示されているものと異なる構成で考慮される。例えば、いくつかの実施形態では、インターフェースインサート受部１６２とインターフェースインサート１７０とが、締め具を利用して可逆的に締結することができる。いくつかの実施形態において、インターフェースインサート受部１６２またはインターフェースインサート１７０の一方は、インターフェースインサート受部１６２またはインターフェースインサート１７０の他方により係合されるねじ山を画定することができる。締結構造の組み合わせを使用することもできる。
【００３４】
ポートリング１６０は、概して、当技術分野で知られている方法と同様にポート壁内に設置される。１つの設置方法は、以下のステップ：
ａ．ポートリング１６０の外側フランジ１６１と隔壁（図示せず）との間にシール３１０が配置された状態で、隔離環境の内側から、ポートリング１６０の延在部分１１２を隔壁（図示せず）におけるポート開口に通して設置するステップ（シール３１０は、概して、上で定義したガスケット材料とすることができる）と、
ｂ．隔壁の反対側から、ポートリング１６０の延在部分１１２上に裏当てリング３２０を摺動させ、ナット３３０を締めて、隔壁と延在部分１１２との間にシールを形成するステップと
を有する（図８参照）。
【００３５】
インターフェースインサート１７０は、隔壁内に設置される、ポートリング１６０により画定されたインターフェースインサート受部１６２（図４参照）に挿入される。インターフェースインサート１７０はポートリング１６０に締結され、この締結は、本実施形態では、ポートリング１６０およびインターフェースインサート１７０の各々により相互に画定された締結具開口１６４、１６５、１７４、１７７に締結具１９０、１９２を挿入することにより達成される。上で説明したように、インターフェースインサート１７０とポートリング１６０とは、代替構成または追加構成を通じて締結することもできる。Ｏリングなどのガスケット材料３５０は、インターフェースインサート１７０がポートリング１６０に締結されたときにポートリング１６０およびインターフェースインサート１７０がシールを相互に画定するように、ポート開口１２に当接する密閉面１６８に接触し、かつインターフェースインサート１７０の端面１７８に接触して配置される。いくつかの実施形態では、ガスケット材料３５０がポートリング１６０またはインターフェースインサート１７０の構成部品であり、その一方で、他の実施形態では、ガスケット材料３５０がポートリング１６０およびインターフェースインサート１７０と異なる別個の構成部品である。インターフェースインサート１７０がポートリング１６０内に設置されるときに、ポートリング１６０とポートドア１４０との間に配置されたドアシール１４８をインターフェースインサート１７０とポートドア１４０との間に配置することもできる。
【００３６】
インターフェースインサート１７０の取付インターフェース１２０は、特定の取付組立体構成との１つまたは複数のシールを形成するように構成される嵌合特徴部の組を画定する。様々な実施形態において、セルフランジ１１０を形成するようにインターフェースインサート１７０がポートリング１６０に締結された時点で、取付組立体２００（図１参照）が、インターフェースインサート１７０により画定された取付インターフェース１２０に取り付けられる。しかしながら、いくつかの代替的な取付組立体構成は、インターフェースインサート１７０の取付インターフェース１２０とのシールを形成しない。このような代替的な取付組立体構成の使用が状況により決定される場合、第１のインターフェースインサートを、代替的な取付組立体構成とのシールを形成するように構成される第２の取付インターフェースを画定する第２のインターフェースインサートに取り替えることができる。
【００３７】
図７Ａ〜図７Ｃは、本明細書に開示する技術と一致する例示的な第２のインターフェースインサート１８０を図示する。第２のインターフェースインサート１８０は、図５のポートリング１６０に密閉可能に締結するように構成される。第２のインターフェースインサート１８０は、インターフェースインサート受部１６２に受け入れられるように構成される端面１８８および外側円筒面１８１を有する環状体である。端面１８８は、端面１８８の形状に１つまたは複数の不連続部が存在し得るが、略リング形状である。第２のインターフェースインサート１８０の環状体は、セルフランジ１１０のポート開口１８３を相互に画定するように構成され、かつポート開口１８３と同軸のポートリング１６０とのシールを相互に画定するように構成される。第２のインターフェースインサート１８０は、インターフェースインサート受部１６２に締結するように構成される締結構造を少なくとも部分的に画定し、締結構造は、締結具を受け入れるように構成される締結具開口１８４、１８７である。第２のインターフェースインサート１８０の端面１８８は、ポートリング１６０の１つまたは複数のインターロック組立体１６６、１６７を収容するように構成されるインターロック開口１８６を画定する。
【００３８】
第２のインターフェースインサート１８０は、差込みコネクタ１８５および密閉用リッジ１８２など、第２の取付組立体構成とのシールを形成するように構成される第２の嵌合特徴部の組を画定する第２の取付インターフェース１８９を有する。第２の嵌合特徴部の組は、本明細書で説明する第１のインターフェースインサート１７０の取付インターフェース１２０の嵌合特徴部の組の幾何学的形状と異なる幾何学的形状を有する。例えば、第２のインターフェースインサート１８０には、第１のインターフェースインサート１７０の取付インターフェース１２０の嵌合特徴部である（図６Ａおよび図６Ｃの逃がし溝１７３との比較での）逃がし溝がない。別の例として、第２のインターフェースインサート１８０の差込みコネクタ１８５および／または密閉用リッジ１８２の大きさは、第１のインターフェースインサート１７０の対応する構成部品と異なるものとすることができる。
【００３９】
図１１Ａ〜図１１Ｂは、本明細書に開示する技術と一致する例示的な第３のインターフェースインサート５７０を図示する。第３のインターフェースインサート５７０はまた、図５のポートリング１６０に密閉可能に締結するように構成される。第３のインターフェースインサート５７０は、インターフェースインサート受部１６２に受け入れられるように構成される端面５７８および外側円筒面５７１を有する環状体である。端面５７８は、端面５７８の形状に１つまたは複数の不連続部が存在し得るが、略リング形状である。第３のインターフェースインサート５７０の環状体は、セルフランジ１１０のポート開口５７９を相互に画定するように構成され、かつポート開口５７９と同軸のポートリング１６０とのシールを相互に画定するように構成される。第３のインターフェースインサート５７０は、インターフェースインサート受部１６２に締結するように構成される締結構造を少なくとも部分的に画定する。締結構造は、締結具を受け入れるように構成される締結具開口５７４、５７７とすることができる。第３のインターフェースインサート５７０の端面５７８は、ポートリング１６０の１つまたは複数のインターロック組立体１６６、１６７を収容するように構成されるインターロック開口５７６を画定する。
【００４０】
第３のインターフェースインサート５７０は、差込みコネクタ５７５および密閉用リッジ５７２など、第３の取付組立体構成とのシールを形成するように構成される第３の嵌合特徴部の組を画定する第３の取付インターフェース５２０を有する。第３の嵌合特徴部の組は、本明細書で説明される、第１のインターフェースインサート１７０の取付インターフェース１２０の嵌合特徴部の組の幾何学的形状および第２のインターフェースインサート１８０の取付インターフェース１８９の嵌合特徴部の組の幾何学的形状と異なる幾何学的形状を有する。例えば、第３のインターフェースインサート５７０は、例示的な第１のインターフェースインサート１７０（図６Ａおよび６Ｃ）の逃がし溝１７３と異なる寸法を有し得る逃がし溝５７３を有する。別の例として、第３のインターフェースインサート５７０は、例示的な第１のインターフェースインサート１７０および例示的な第２のインターフェースインサート１８０と異なる数の差込みコネクタ５７５を画定する。特に、第３のインターフェースインサート５７０は、３つの差込み受部５７５を画定する。
【００４１】
第１のインターフェースインサート１７０、第２のインターフェースインサート１８０、および第３のインターフェースインサート５７０は、概して、移送ポートが複数の取付組立体構造の嵌合特徴部を収容できるように、ポートリング１６０に対して交換可能であるように構成される。そのようなものとして、インターフェースインサート受部１６２は、第１のインターフェースインサート１７０、第２のインターフェースインサート１８０、および第３のインターフェースインサート５７０の各々を交換可能に受け入れて各々に解放可能に締結するように構成される。
【００４２】
概して、移送ポートに取り付けることができる特定の取付組立体構成を使用者が変更しようとする場合、ポートリング内に設置されるインターフェースインサートの取付組立体の取付特徴部に応じて、インターフェースインサートを変更する必要があり得る。ポートリング内に設置されたインターフェースインサートが、所望の取付組立体とのシールを形成しない嵌合特徴部の組を有する取付インターフェースを有する場合、設置されたインターフェースインサートを、所望の取付組立体とのシールを形成する嵌合特徴部の組を有する取付インターフェースを備えた第２のインターフェースインサートに取り替えることができる。
【００４３】
概して、設置されたインターフェースインサートを取り替え用のインターフェースインサートに取り替えるには、図１０と一致する手法があり、第１のインターフェースインサートは、既に設置されたインターフェースインサートを指し、かつ第２のインターフェースインサートは取り替え用のインターフェースインサートを指す。第１のインターフェースインサートは、ポートリングから外される４１０。第１のインターフェースインサートは、第２のインターフェースインサートに取り替えられる４２０。また、第２のインターフェースインサートは、ポートリングに締結される４３０。
【００４４】
次に、分かり易くするために図１０の例示的な方法を図４に図示する構成部品を考慮に入れて説明し、ここで、図４の要素の番号が括弧内に示される。本解説のために図４に図示されている例示的な第１のインターフェースインサート（１７０）である第１のインターフェースインサートは、概して隔壁内に設置されるポートリングから外される４１０。隔壁は、上で詳細に説明したように隔離環境の隔壁とすることができる。第１のインターフェースインサートがポートリングから外される４１０前に、ポートドア（１４０）は、ポートドア（１４０）がポート開口（１２）を閉塞するように、かつポートドア（１４０）がポート開口（１２）の周りにポートリング（１６０）とのシールを形成するように閉鎖される。概して、第１のインターフェースインサート（１７０）の取付インターフェース（１２０）に取り付けられる取付組立体は、第１のインターフェースインサート（１７０）の取付インターフェース（１２）から取り外される。ポートリングから第１のインターフェースインサートを外すこと４１０は、概して、ポートリング（１６０）と第１のインターフェースインサート（１７０）との間に利用される特定の締結機構に関係する。ここで図示する実施形態では、ポートリング１６０の締結具開口１６４、１６５内に配置された締結具が取り外される。インターフェースインサート１７０により画定された締結具開口１７４、１７７から締結具を緩めるかまたは取り外すことができる。
【００４５】
第１のインターフェースインサートは、ポートリング（１６０）のインターフェースインサート受部（１６２）から第１のインターフェースインサート（１７０）を取り外して、インターフェースインサート受部（１６２）に第２のインターフェースインサートを挿入することにより、第２のインターフェースインサートに取り替えられる４２０。ポートリング１６０、特にポートドア（１４０）は、第１のインターフェースインサートが第２のインターフェースインサートに取り替えられる間に、隔壁の第１の側（１１４）と隔壁の第２の側（１１６）との間の隔離を維持する。いくつかの実施形態において、ポートリング（１６０）の密閉面（１６８）に接触するガスケット材料（３５０  −  図８参照）は、インターフェースインサート受部への第２のインターフェースインサートの挿入前または挿入と同時に取り替えることができる。いくつかの実施形態において、ポートリング（１６０）の密閉面（１６８）に接触するガスケット材料は、インターフェースインサート受部への第２のインターフェースインサートの挿入のために適所に留まる。
【００４６】
第２のインターフェースインサートは、システムにより利用される特定の締結機構を介してポートリングに締結される４３０。そのようなものとして、本明細書における図と一致する実施形態では、第２のインターフェースインサートは、挿入ねじおよび／または止めねじなどの締結具を相互に受け入れるためにポートリング１６０の締結具開口と整合するように構成される締結具開口を有する。締結具は、第２のインターフェースインサートおよびポートリングに相互に係合するように、第２のインターフェースインサートとポートリングとにより画定された締結具開口に挿入される。第２のインターフェースインサートがポートリングに締結された４３０時点で、第２のインターフェースインサートの取付インターフェースに対応する嵌合特徴部の組を有する取付組立体を第２のインターフェースインサートに取り付けることができる。いくつかの実施形態では、第２のインターフェースインサートをポートリングに締結した４３０後および取付組立体を第２のインターフェースインサートに取り付ける前に、隔壁の第２の側に対する隔壁の第１の側の封じ込めがセルフランジにより維持されていることを確実にするために、移送ポートに対して漏れ試験を実施することができる。漏れ試験は、当業者であれば理解するように、圧力減衰漏れ試験とすることができる。
【００４７】
本明細書で説明する構成部品は、概して、当技術分野で知られている様々な材料および材料の組み合わせで構築することができる。例えば、複数の実施形態において、硬化ステンレス鋼を開示されるインターロック組立体の種々の構成部品に組み込むことができる。更に、当業者であれば、本開示を通じて、「差込み部」、「差込みコネクタ」、および「差込み受部」という用語が、概して、表面、カム面、溝付き耳部などを受け入れる、傾斜したもしくは傾いた接続部またはタブも包含し得る、本明細書の差込み嵌合接続部を説明するために使用されることと、かかる用語が構造的に限定するために使用されるものではないこととを認識するであろう。
【００４８】
また、本明細書および添付の特許請求の範囲において使用される場合、「構成される」という語句が、特定の作業を実施するかまたは特定の構成を採用するように構築または構成されるシステム、装置または他の構造を説明することにも留意すべきである。「構成される」という語句は、「配設される」、「配設および構成される」、「構築および配設される」、「構築される」、「製造および配設される」などの他の同様の語句と交換可能に使用することができる。
【００４９】
本明細書における全ての刊行物および特許出願は、本技術が属する技術分野における通常の技術水準を示すものである。全ての刊行物および特許出願は、あたかも各個別の刊行物または特許出願が参照により具体的かつ個別に示されているのと同程度に参照により本明細書に組み込まれる。
【００５０】
本出願は、本主題の応用形態または変形形態を網羅することが意図されている。上記の説明は、例示的であり、限定的ではないように意図されていることを理解されたい。
【図１】
2018518351.tif 000003
【図２】
2018518351.tif 000004
【図３】
2018518351.tif 000005
【図４】
2018518351.tif 000006
【図５】
2018518351.tif 000007
【図６Ａ】
2018518351.tif 000008
【図６Ｂ】
2018518351.tif 000009
【図６Ｃ】
2018518351.tif 000010
【図７Ａ】
2018518351.tif 000011
【図７Ｂ】
2018518351.tif 000012
【図７Ｃ】
2018518351.tif 000013
【図８】
2018518351.tif 000014
【図９】
2018518351.tif 000015
【図１０】
2018518351.tif 000016
【図１１Ａ】
2018518351.tif 000017
【図１１Ｂ】
2018518351.tif 000018
【国際調査報告】
2018518351.tif 000019
2018518351.tif 000020